(57)【特許請求の範囲】
【請求項１】
間隔を置いて配設した複数のたる木と、
この隣接したたる木間に配設され、その上面の左右両側寄りに上向きの凹条溝をそれぞれ有し、かつ上面の左右中央部に樋部を有し、その各凹条溝に水密材が装着された補助たる木と、
前記隣接したたる木間に跨って取付けられ、その下面が前記補助たる木の水密材に接した屋根板と、
前記屋根板の上面に接するパッキンと、このパッキンの上面に接した押えプレートと、この押えプレート及び前記パッキンを挿通し、頭部が押えプレートの上面に接したネジを有した止め具を備え、
前記ネジを、前記屋根板を挿通して補助たる木の樋部に螺合して、前記押えプレートを屋根板の上面にパッキンを介して押しつけたことを特徴とする屋根の屋根板取付構造。
【発明の詳細な説明】
【０００１】
【発明の属する技術分野】
本発明は、テラス、カーポート等の屋根の屋根板取付構造に関する。
【０００２】
【従来の技術】
テラス、カーポート等の屋根は間隔を置いて配設した複数のたる木間に跨って屋根板をそれぞれ取付けたものが一般的である。
前記屋根板としてはアクリル板、ポリカーボネート板などが用いられる。
【０００３】
【発明が解決しようとする課題】
前述の屋根であると積雪により屋根板が下向きに湾曲変形し、屋根板が破損等する恐れがある。
このことを防止するにはたる木の間隔を狭くして屋根板の幅を小さくすることが考えられる。
前記たる木はたる木本体に押え部材をビスで連結し、そのたる木本体と押え部材で屋根板の幅方向両端縁を挟持する形状で、そのたる木は高価である。
このために、前述のようにたる木の間隔を狭くすると高価なたる木の本数が増えコスト高となる。
しかも、屋根板の枚数も多くなくなり、その屋根板の取付けに時間がかかるので、屋根の組立に時間がかかる。
【０００４】
このことを解消するために、隣接するたる木間に補助たる木を配設し、屋根板の幅方向中央部を補助たる木の上面に載置して屋根板が積雪により下向きに湾曲変形しないようにすることが考えられる。
このようにすれば、高価なたる木の本数が増えずに安価な補助たる木を用いるのであまり高価にならない。
しかも、屋根板の枚数が増えずに、屋根板の取付けに時間がかかることもない。
【０００５】
しかしながら、前述のように形成した屋根板の取付構造であると、風で屋根板が吹き上げられた時に補助たる木は何ら機能しないので、強風によって屋根が吹き上げられた時に屋根板が上向きに湾曲変形し、このことを繰り返すことで屋根板がバタつき屋根板が破損する恐れがある。
【０００６】
そこで、本発明は前述の課題を解決できるようにした屋根の屋根板取付構造を提供することを目的とする。
【０００７】
【課題を解決するための手段】
本発明は、間隔を置いて配設した複数のたる木と、
この隣接したたる木間に配設され、その上面の左右両側寄りに上向きの凹条溝をそれぞれ有し、かつ上面の左右中央部に樋部を有し、その各凹条溝に水密材が装着された補助たる木と、
前記隣接したたる木間に跨って取付けられ、その下面が前記補助たる木の水密材に接した屋根板と、
前記屋根板の上面に接するパッキンと、このパッキンの上面に接した押えプレートと、この押えプレート及び前記パッキンを挿通し、頭部が押えプレートの上面に接したネジを有した止め具を備え、
前記ネジを、前記屋根板を挿通して補助たる木の樋部に螺合して、前記押えプレートを屋根板の上面にパッキンを介して押しつけたことを特徴とする屋根の屋根板取付構造である。
【０００９】
【作  用】
本発明によれば、隣接するたる木間に取付けた屋根板の幅方向中間下面が、補助たる木の上面の凹条溝に装着した水密材に接しているので、積雪によって屋根板が下向きに湾曲変形しない。
しかも、屋根板の幅方向中間部上面に止め具の押えプレートがパッキンを介して押しつけているので、強風で吹き上げられた時に屋根板が上向きに湾曲変形しないので、屋根板がバタついて破損することがない。
【００１０】
また、隣接するたる木間に補助たる木を配設し、その補助たる木の上面に装着した水密材に、屋根板の下面を接し、止め具のネジを補助たる木に螺合した形状であるから、隣接するたる木の間隔が狭くならずにたる木の本数が増加したり、屋根板の枚数が多くならないので、コストが安いと共に、屋根板の取付けに時間がかからない。
【００１１】
また、押えプレートがパッキンを介して屋根板の上面に押しつけられるので、屋根板に無理な力が局部的に作用しないから、屋根板が変形等しない。
また、ネジは補助たる木の樋部に螺合されていると共に、この樋部の左右両側部に装着した水密材が屋根板の下面に接しているので、何らかの事情で屋根板のネジ挿通部から雨水が浸入した場合には、その浸入した雨水を樋部に沿って排水できる。
【００１２】
【発明の実施の形態】
図１と図２に示すように、左右一対の支柱１と建物外壁２に渡って屋根３が取付けられ、テラスを形成している。
前記屋根３は左右一対の支柱１間に横架して取付けた前枠と呼ばれる第１枠４と、建物外壁２に取付けられる取付枠と呼ばれる第２枠５と、第１枠４と第２枠５とに亘って取付けた複数のたる木６と、この隣接するたる木６間に取付けた複数の屋根板７と、隣接するたる木６間において第１枠４と第２枠５に亘って取付けた複数の補助たる木８と、たる木６と補助たる木８間に取付けた野縁９を備えている。
【００１３】
前記たる木６は図３に示すように、中空形状のたる木本体１０に押え部材１１をビス１２で連結した形状で、たる木本体１０の上面部と押え部材１１の下面部で屋根板７の幅方向端縁を水密材１３を介して挟持している。
なお、左右両端のたる木６は左右一方側で屋根板７を挟持し、左右中間のたる木６は左右両方側で屋根板７を挟持している。
【００１４】
前記補助たる木８は図３に示すように中空形状で、その上面８ａの左右両側寄りに上向きの凹条溝１４を有し、その上面８ａの左右中央部は上向きコ字状に折曲して樋部１５を形成している。前記各凹条溝１４に水密材１６がそれぞれ装着してあり、この各水密材１６に屋根板７の幅方向中間部下面が接している。
【００１５】
図２に示すように、屋根板７の幅方向中間部の複数個所が止め具２０で補助たる木８に連結されている。これによって屋根板７が強風で吹き上げられた時に屋根板７が上向きに湾曲変形することがなく屋根板７のバタつきが防止される。
前記止め具２０は図４に示すように、ネジ２１、例えばドリリングタッピンネジと、押えプレート２２と、パッキン２３と、シール材２４を備えている。
【００１６】
前記押えプレート２２はＳＵＳ４３０などの金属によって円板形状で穴２２ａを有し、その表面（上面）が塗装されている。
前記パッキン２３はスポンジなどの弾性材により円板形状で、穴２３ａを有する。
前記シール材２４は軟質樹脂などによって円板形状で、穴２４ａを有する。
前記ネジ２１にシール材２４、押えプレート２２、パッキン２３の順序で挿入し、シール材２４がネジ２１の頭部２１ａに接し、押えプレート２２の上面にシール材２４が接し、押えプレート２２の下面にパッキン２３が接する。
【００１７】
屋根板７をたる木６間に取付けた後に、屋根板７の補助たる木８の樋部１５（幅方向中間部）と対向した部分（幅方向中間部）に穴２５を明ける。
この穴２５にネジ２１を挿入して補助たる木８の樋部１５に螺合して図３に示すように押えプレート２２を屋根板７の上面にパッキン２３を介して押しつけて屋根板７の幅方向中間部を補助たる木８に連結する。
【００１８】
このようであるから、金属製の押えプレート２２とネジ２１の頭部２１ａとの間がシール材２４で水密されるので、押えプレート２２の穴２２（つまり、ネジ２１の挿通部）から雨水等が浸入することを防止できる。
また、金属製の押えプレート２２が屋根板７の上面に直接押しつけられずにパッキン２３を介して押しつけられるので、屋根板７に無理な力が局部的に作用しない。
これによって、屋根板７の損傷を防止できる。
しかも、押えプレート２２と屋根板７の上面との間がパッキン２３で水密されるので、その部分が雨水が浸入することがない。
なお、何らかの事情で雨水が浸入した場合には、その浸入した雨水が樋部１５に沿って流れて排水することができる。
【００１９】
【発明の効果】
請求項１に係る発明によれば、隣接するたる木間に取付けた屋根板の幅方向中間下面が、補助たる木の上面の凹条溝に装着した水密材に接しているので、積雪によって屋根板が下向きに湾曲変形しない。
しかも、屋根板の幅方向中間部上面に止め具の押えプレートがパッキンを介して押しつけているので、強風で吹き上げられた時に屋根板が上向きに湾曲変形しないので、屋根板がバタついて破損することがない。
【００２０】
また、隣接するたる木間に補助たる木を配設し、その補助たる木の上面に装着した水密材に、屋根板の下面を接し、止め具のネジを補助たる木に螺合した形状であるから、隣接するたる木の間隔が狭くならずにたる木の本数が増加したり、屋根板の枚数が多くならないので、コストが安いと共に、屋根板の取付けに時間がかからない。
【００２１】
また、押えプレートがパッキンを介して屋根板の上面に押しつけられるので、屋根板に無理な力が局部的に作用しないから、屋根板が変形等しない。
また、ネジは補助たる木の樋部に螺合されていると共に、この樋部の左右両側部に装着した水密材が屋根板の下面に接しているので、何らかの事情で屋根板のネジ挿通部から雨水が浸入した場合には、その浸入した雨水を樋部に沿って排水できる。
【図面の簡単な説明】
【図１】本発明の実施の形態を示すカーポートの側面図である。
【図２】カーポートの平面図である。
【図３】屋根板取付部の縦断面図である。
【図４】補助たる木と屋根板と止め具の分解斜視図である。
【符号の説明】
６…たる木
７…屋根板
８…補助たる木
２０…止め具
２１…ネジ
２２…押えプレート
２３…パッキン
２４…シール材
【図１】
0003760331.tif 000002
【図２】
0003760331.tif 000003
【図３】
0003760331.tif 000004
【図４】
0003760331.tif 000005